(57)【要約】【課題】  内密情報の盗難と不法読解のことを防止できるとともに、使用者の利便性を向上できる、ネットワーク・リンキング装置を提供する。【解決手段】  ネットワーク・リンキング装置１を起動するためのユーザー識別カード１０と、ネットワーク・リンキング装置１の関連する基本設定情報を記憶するメモリ装置１１と、外部ネットワークと内部ネットワークとの間の情報の入出力機能を提供するトランスミッション装置１２と、ユーザー識別カード１０とメモリ装置１１とトランスミッション装置１２と電気的に接続されるとともに、情報がユーザー識別カード１０とメモリ装置１１とトランスミッション装置１２との間でのオペレーション処理を行う中央処理装置１３とを備える。【選択図】  図２
0003102127.tif 000002
【実用新案登録請求の範囲】
【請求項１】
ネットワーク・リンキング装置を起動するためのユーザー識別カードと、
ネットワーク・リンキング装置の関連する基本設定情報を記憶できるメモリ装置と、
外部ネットワークと内部ネットワークとの間の情報の入出力機能を提供するトランスミッション装置と、
前記ユーザー識別カードと前記メモリ装置と前記トランスミッション装置とが電気的に接続されると共に、ユーザー識別カードとメモリ装置とトランスミッション装置との間での情報のオペレーション処理を行う中央処理装置と、
を少なくとも備えることを特徴とするネットワーク・リンキング装置。
【請求項２】
前記ネットワーク・リンキング装置として経路形成装置を使用することを特徴とする請求項１に記載のネットワーク・リンキング装置。
【請求項３】
前記ユーザー識別カードとしてＳＩＭカードを使用すると共に、該ＳＩＭカードには身分検証機能と内密化機能を付与することを特徴とする請求項１に記載のネットワーク・リンキング装置。
【請求項４】
前記メモリ装置としてフラッシュ・ロムを使用することを特徴とする請求項１に記載のネットワーク・リンキング装置。
【請求項５】
前記メモリ装置としてＣＦカードを使用することを特徴とする請求項１に記載のネットワーク・リンキング装置。
【請求項６】
前記トランスミッション装置は、外部リンキング装置と、内部リンキング装置とを含むことを特徴とする請求項１に記載のネットワーク・リンキング装置。
【請求項７】
前記外部リンキング装置としてモデムを使用し、外部ネットワークとリンキングする機能を達成することを特徴とする請求項６に記載のネットワーク・リンキング装置。
【請求項８】
前記内部リンキング装置としてネットワーク内部接続ポートを使用し、内部ネットワークと接続する機能を実現することを特徴とする請求項６に記載のネットワーク・リンキング装置。
【請求項９】
前記内部接続装置にスイッチ・ハブを合せて使用することによって、ネットワーク・リンキング装置に複数個のネットワーク内部接続ポート同士を連結させるようにすることを特徴とする請求項８に記載のネットワーク・リンキング装置。
【請求項１０】
前記内部接続装置として無線インターフェース装置を使用することによって無線トランスミッションの方式により内部ネットワークを接続することを特徴とする請求項６に記載のネットワーク・リンキング装置。
【考案の詳細な説明】
【技術分野】
【０００１】
本考案は、ネットワーク・リンキング装置に係わり、そのユーザー識別カードはネットワーク・リンキング装置を起動するための主要な手段とするばかりか、それ自身の身分検証を通過する場合にネットワークにログイン可能にする特性を利用してユーザー識別カードに内密化機能を付与し、情報のトランスミッション時にすべて内密化処理を受けてから作動可能にし、情報の盗難及び第３者への機密の漏洩を防止することを目的とするネットワーク・リンキング装置に関するものである。
【背景技術】
【０００２】
最近では、科学技術が日進月歩に進展しており、情報処理装置と通信関連の技術もますます成熟してゆき、且つそれぞれの領域で広範的に応用されている。  
そのため、情報処理装置の機能もますます多元化されてきており、同時に、この情報が氾濫している現代では、それぞれの企業内部でその情報処理装置を強化すると共に、その周辺設備を増加することによって最近の潮流のシステムのニーズに応えるように努力しており、企業の競争力を向上する目的を図っている。
【０００３】
企業がその情報処理装置と周辺設備を向上すると同時に、相対的に、安全性のコントロール管理についても多くの課題を抱えている。
特に、外部とコミュニケーション可能なネットワーク通信システムの場合では、そのシステムの安全性に対する管理がかなり重要であり、最近では、多くの中小企業（ＳＭＥ）または個人ワークショップ（ＳＯＨＯ）は、すべてバーチャル・プライベート・ネットワーク（以下、ＶＰＮと略称する）を利用して相互の情報を伝達するようにしている。
このようにする目的は、情報の通信時の安全性を確保するものであり、ＶＰＮ通信経路を構築するには、多くの内密資料、例えば認証（ＣＡ）や予めシェアし合うキー（Ｐｒｅｓｈａｒｅ  Ｋｅｙ）やメンバーＩＤやパスワードやプライベート・ネットワークなどをまず読み取る必要があるので、如何にして会社の内部資料を盗まれないように保全するか、外部の第３者であるメンバーに知られないように保全するかがかなり重要なこととなっている。
【０００４】
図１は、従来におけるネットワーク・リンキング装置の構成を示すブロック図である。この図１において、ネットワーク・リンキング装置１Ａは主にメモリ装置１１Ａと、トランスミッション装置１２Ａと、中央処理装置１３Ａとを備える。
【０００５】
前記メモリ装置１１Ａはネットワーク・リンキング装置１Ａの関連する基本設定情報を記憶し、且つ会杜の内密情報と内密化用ソフトウェアを記憶するとともに、その内密化用ソフトウェアが会杜の内密情報が盗まれないで、且つ解読されないようにするために設けた大切な手段となっている。また、前記トランスミッション装置１２Ａは、外部リンキング装置１２１Ａと内部リンキング装置１２２Ａとを備えており、それらによって外部ネットワーク１４Ａと内部ネットワーク１５Ａとの間の情報の入出力機能を提供する。また、前記外部リンキング装置１２１Ａにはモデムが使用され、これに前記外部ネットワーク１４Ａが接続される。
また、前記内部リンキング装置１２２Ａにはネットワーク内部連結ポートが使用され、且つその内部リンキング装置１２２Ａにスイッチ・ハブ（Ｓｗｉｔｃｈ  Ｈｕｂ）１６Ａを合せて使用することによって内部リンキング装置１２２Ａに複数個のネットワーク内部連結ポート同士を接続させることができる。また、複数個のユーザー端を接続することによってイントラネット１５Ａを構成でき、さらに、無線インターフェース装置１７Ａと信号トランスミッション装置１８Ａを合せて使用することによってイントラネット１５Ａにおけるユーザー端末と接続するという目的を達成することが出来る。
また、前記中央処理装置１３Ａが前記メモリ装置１１Ａと前記トランスミッション装置１２Ａとが電気的に接続され、且つ情報のメモリ装置１１Ａとトランスミッション装置１２Ａとの間でのオペレーション処理を行うことによって情報のネットワーク間のトランスミッション処理をコントロールする。従来技術のネットワーク・リンキング装置１Ａのオペレーション方式は下記のようになっている。
【０００６】
もしも、ユーザーがメモリ装置１１Ａ内の会社の内密情報を読み取ろうとする場合、または会社の内密情報をメモリ装置１１Ａに記憶しようとする場合、まず、ユーザー端末よりネットワーク・リンキング装置１Ａのトランスミッション装置１２Ａを接続し、それから中央処理装置１３Ａよりメモリ装置１１Ａをアクセスし、もし、そのメモリ装置１１Ａにおいて内密機能を有するソフトウェアがインストールされている場合、そのソフトウェアがパッケージを伝送して、ユーザーに対しパスのための手段を入力するように要求し、例えば、パスワードを入力するよう要求し、これにより、そのソフトウェアに認可されると、ユーザーが自由にそのメモリ装置１１Ａに対し読み取りと記憶のオペレーションを実行できる。
【考案の開示】
【考案が解決しようとする課題】
【０００７】
しかしながら、それぞれのメーカが先にＶＰＮのネットワーク・リンキング装置１Ａの基本設定情報を製品におけるメモリ装置１１Ａ、例えばフラッシュ・ロム（Ｆｌａｓｈ  ＲＯＭ）やコンパクト・フラッシュ・カード（Ｃｏｍｐａｃｔ  Ｆｌａｓｈ  Ｃａｒｄ，ＣＦカード）に記憶している上に、多くの会社も内密性が大切である資料情報をメモリ装置１１Ａに記憶するので、メモリ装置１１Ａを読み取るには既に記憶される内密化ソフトウェアによって検証される必要があるため、保護の機能は提供されてはいるが、しかし、情報がフラッシュ・ロムやＣＦカードや他のメモリ装置に記憶される場合には、他人が容易にＣＤライターやカード・リーダーなどの装置によってそのプライベートの資料情報を入手できると共に、容易にその内密化機能を有するソフトウェアをブロークできるので、従来技術による場合、現在要求される内密化機能は既に明らかに不足になる傾向があり、そのため、それぞれのメーカには、情報の盗難と不法解読をさらに効果的に防止する好ましい手段が要求されている。
【０００８】
本考案は、情報の内密化をさらに強化でき、情報の盗難と不法解読を効果的に防止可能とするネットワーク・リンキング装置を提供することを主要な目的とする。
【課題を解決するための手段】
【０００９】
前記目的を達成するために本考案のネットワーク・リンキング装置は、ネットワーク・リンキング装置を起動するためのユーザー識別カードと、ネットワーク・リンキング装置の関連する基本設定情報を記憶できるメモリ装置と、外部ネットワークと内部ネットワークとの間の情報の入出力機能を提供するトランスミッション装置と、前記ユーザー識別カードと前記メモリ装置と前記トランスミッション装置とが電気的に接続されると共に、ユーザー識別カードとメモリ装置とトランスミッション装置との間での情報のオペレーション処理を行う中央処理装置とを少なくとも備えることを特徴とする。
【００１０】
本考案のネットワーク・リンキング装置においては、ユーザー識別カード自身の有する本来備わっている情報の検証と内密化機能を利用することによって、情報が盗まれたり知られることを防止でき、且つユーザー識別カードに予め主要な設定情報が記憶され、ユーザーが単にユーザー識別カードをネットワークシステム装置に挿入するだけで、気軽にＶＰＮを使用することが可能になり、煩雑な専門的な設定操作の手数をなくすことができる。
【考案を実施するための最良の形態】
【００１１】
以下に、添付図面を参照しながら本考案の好適な実施の形態を詳細的で具体的に説明するが、それらの説明による具体的な構造は単に本考案の実施の可能な実施例に過ぎず、本考案を狭義的に限定するものではないことは言うまでもないことである。
【実施例１】
【００１２】
図２は本考案にかかるネットワーク・リンキング装置における実施例の構成を示すブロック図である。
図２において、ネットワーク・リンキング装置１（例えば、経路形成手段）は、主に、ユーザー識別カード１０と、メモリ装置１１と、トランスミッション装置１２と、中央処理装置１３とを備えて構成される。
前記ユーザー識別カード１０は、ネットワーク・リンキング装置１を起動するための最も大切な手段であり、また、前記メモリ装置１１にはネットワーク・リンキング装置１の関連する基本設定情報が記憶される。
前記トランスミッション装置１２は、外部リンキング装置１２１と内部リンキング装置１２２とを備え、それらによって外部ネットワーク１４、例えばインターネットと、内部ネットワーク１５、例えばローカルネットワーク（ＬＡＮ）または広域ネットワーク（ＷＡＮ）との間の情報の入出力の機能を提供する。
また、前記中央処理装置１３にはユーザー識別カード１０とメモリ装置１１とトランスミッション装置１２とが電気的に接続され、且つ情報のユーザー識別カード１０とメモリ装置１１とトランスミッション装置１２との間でのオペレーション処理を実行する。
【００１３】
あるユーザー端末が外部ネットワーク１４または内部ネットワーク１５を介してトランスミッション装置１２にリンクされる場合、且つネットワークでパスしようとする場合、ユーザー端末がパッケージ資料情報をトランスミッション装置１２を介して中央処理装置１３に伝送し、また、中央処理装置１３よりユーザー識別カード１０に伝送し、このユーザー識別カード１０がそのパッケージ資料情報を受け取る場合、直ちに元の経路に沿って他のパッケージ資料情報を伝送して戻し、身分検証を要求し、身分検証がＯＫである場合に、ユーザー端末がネットワーク間で情報の伝送が可能になり、ネットワーク・リンキング装置１を介して情報を伝送するユーザーのネットワークにリンキングする権利が許可されるかどうかを確認し、これにより、他人の不法侵入を防止する。
【００１４】
また、前記ユーザー識別カード１０は記憶機能を有し、且つ前記ユーザー識別カード１０内にも内密化用のソフトウェアをインストールしており、そのため、会社の内密化情報、例えば、認証や予めシェアされるキーやメンバー・ナンバーやパスワードやプライベート・ネットワークなどをユーザー識別カード１０内に記憶できる。もし、あるユーザー端末がトランスミッション装置１２の外部リンキング装置１２１（例えばモデム）または内部リンキング装置１２２（例えばネットワーク・インナー・接続ポート）を介してユーザー識別カード１０内の機密情報を読み取ろうとする場合、前記ユーザー識別カード１０が他のパッケージ資料情報をフィードバックし、ユーザー端がユーザー識別カード１０内に記憶される機密資料情報を読み取ることが出来るかどうかを確認する。しかるに、誤ったメッセージを入力する回数がユーザー識別カード１０の元の設定値を超える場合、前記ユーザー識別カード１０が保護機能を起動し、いずれのユーザー端末が再度、機密資料情報を読み取ることを阻止し、防衛の機能を図ることができる。
【００１５】
また、ユーザー識別カード１０の内容をコピーできないようにすることによって、情報の盗難と不法解読を防止できる。また、内部リンキング装置１２２がネットワーク内部接続ポートであり、且つその内部リンキング装置１２２にはあるスイッチ・ハブ（Ｓｗｉｔｃｈ  Ｈｕｂ）１６を合せて使用すると、その内部リンキング装置１２２に複数のネットワーク内部接続ポート同士を接続させることができるので、もっと多くのユーザー端末同士を接続でき、ローカルネットワーク（ＬＡＮ）または広域ネットワーク（ＷＮＡ）を構成でき、それらによってネットワーク・リンキング装置１にリンキングできるようになる。また、ネットワーク・リンキング装置１に無線インターフェース装置１７と信号トランスミッション装置１８をあわせて使用すると、内部ネットワーク１５のユーザー端末とリンキング可能になるので、ネットワーク用ワイヤを配設する面倒さをなくすことが出来る。
また、ネットワーク・リンキング装置１のメモリ装置１１に関連する基本設定情報には内密化ソフトウェアを有する場合、ユーザー識別カード１０と相互に合せて二重保護機能を形成でき、その実施例では余分に一つの操作手数を増加しているが、ネットワーク情報の安全性を考慮する上でやはりそれは進歩性を有していると認められている。
【産業上の利用可能性】
【００１６】
本考案の産業上の利用可能性を下記のように帰納する。
（１）本考案のネットワーク・リンキング装置は、ユーザー識別カードが挿入されない場合に、そのネットワーク・リンキング装置が起動できなくなり、ユーザーがネットワーク域にログインして情報のトランスミッションの操作を実行できなくなってしまい、また、外部（外界）からの不法侵入者もその区域ネットワークに侵入して情報を盗むことが出来なくなってしまい、そのため、その機密性がかなり高度的である。
（２）ユーザー識別カード自身は検証の機能を有するので、パスワードの入力を要求でき、且つパスワードの入力回数にも制限があり、あまり多く間違ったパスワードを入力する場合、ユーザー識別カードがロックされて使用不能になる。そのため、他人からの不法な盗みを防止でき、その安全性を向上できる。
（３）ユーザー識別カード自身は内密化機能を有するので、ユーザーがユーザー識別カードに対し内密情報や機密情報などを記憶する場合、まずユーザー識別カードの許可を取得しなければならないので、情報の保護の安全性は更に向上できる。
（４）ユーザー識別カード内に予めある主要な設定資料情報を記憶でき、ユーザーが単にユーザー識別カードをネットワーク・リンキング装置に挿入するだけで、気軽にＶＰＮを使用できるので、煩雑的で専門的な設定操作をなくすことができる。
【００１７】
上記実施例に記載したネットワーク・リンキング装置は、単に本考案の実施可能な実施例に過ぎず、本考案の権利範囲を狭義的に制限するものではなく、本考案の請求の範囲の要旨に基づいて実施されるすべて変更や利用がすべて本考案の請求範囲内に包含されるべきことは言うまでもない。
【図面の簡単な説明】
【００１８】
【図１】従来におけるネットワーク・リンキング装置の構成を示すブロック図である。
【図２】本考案におけるネットワーク・リンキング装置における実施例の構成を示すブロック図である。
【符号の説明】
【００１９】
１        ネットワーク・リンキング装置
１Ａ      ネットワーク・リンキング装置
１０      ユーザー識別カード
１１      メモリ装置
１１Ａ    メモリ装置
１２      トランスミッション装置
１２Ａ    トランスミッション装置
１３      中央処理装置
１３Ａ    中央処理装置
１４      外部ネットワーク
１４Ａ    外部ネットワーク
１５      内部ネットワーク（イントラネット）
１５Ａ    内部ネットワーク
１６      スイッチ・ハブ
１６Ａ    スイッチ・ハブ
１７      無線インターフェース装置
１７Ａ    無線インターフェース装置
１８      信号トランスミッション装置
１８Ａ    信号トランスミッション装置
１２１    外部リンキング装置
１２１Ａ  外部リンキング装置
１２２    内部リンキング装置
１２２Ａ  内部リンキング装置
【図１】
0003102127.tif 000003
【図２】
0003102127.tif 000004
【手続補正書】
【提出日】平成16年1月29日(2004.1.29)
【手続補正１】
【補正対象書類名】実用新案登録請求の範囲
【補正対象項目名】全文
【補正方法】変更
【補正の内容】
【実用新案登録請求の範囲】
【請求項１】
ネットワーク・リンキング装置を起動するためのユーザー識別カードと、
ネットワーク・リンキング装置の関連する基本設定情報を記憶できるメモリ装置と、
外部ネットワークと内部ネットワークとの間の情報の入出力機能を提供するトランスミッション装置と、
前記ユーザー識別カードと前記メモリ装置と前記トランスミッション装置とが電気的に接続されると共に、ユーザー識別カードとメモリ装置とトランスミッション装置との間での情報のオペレーション処理を行う中央処理装置と、
を少なくとも備えることを特徴とするネットワーク・リンキング装置。
【請求項２】
前記ネットワーク・リンキング装置として経路形成装置を使用することを特徴とする請求項１に記載のネットワーク・リンキング装置。
【請求項３】
前記ユーザー識別カードとしてＳＩＭカードを使用すると共に、該ＳＩＭカードには身分検証機能と内密化機能を付与することを特徴とする請求項１に記載のネットワーク・リンキング装置。
【請求項４】
前記メモリ装置としてフラッシュ・ロムを使用することを特徴とする請求項１に記載のネットワーク・リンキング装置。
【請求項５】
前記メモリ装置としてメモリカードを使用することを特徴とする請求項１に記載のネットワーク・リンキング装置。
【請求項６】
前記トランスミッション装置は、外部リンキング装置と、内部リンキング装置とを含むことを特徴とする請求項１に記載のネットワーク・リンキング装置。
【請求項７】
前記外部リンキング装置としてモデムを使用し、外部ネットワークとリンキングする機能を達成することを特徴とする請求項６に記載のネットワーク・リンキング装置。
【請求項８】
前記内部リンキング装置としてネットワーク内部接続ポートを使用し、内部ネットワークと接続する機能を実現することを特徴とする請求項６に記載のネットワーク・リンキング装置。
【請求項９】
前記内部接続装置にスイッチ・ハブを合せて使用することによって、ネットワーク・リンキング装置に複数個のネットワーク内部接続ポート同士を連結させるようにすることを特徴とする請求項８に記載のネットワーク・リンキング装置。
【請求項１０】
前記内部接続装置として無線インターフェース装置を使用することによって無線トランスミッションの方式により内部ネットワークを接続することを特徴とする請求項６に記載のネットワーク・リンキング装置。
【手続補正２】
【補正対象書類名】明細書
【補正対象項目名】全文
【補正方法】変更
【補正の内容】
【考案の詳細な説明】
【技術分野】
【０００１】
本考案は、ネットワーク・リンキング装置に係わり、そのユーザー識別カードはネットワーク・リンキング装置を起動するための主要な手段とするばかりか、それ自身の身分検証を通過する場合にネットワークにログイン可能にする特性を利用してユーザー識別カードに内密化機能を付与し、情報のトランスミッション時にすべて内密化処理を受けてから作動可能にし、情報の盗難及び第３者への機密の漏洩を防止することを目的とするネットワーク・リンキング装置に関するものである。
【背景技術】
【０００２】
最近では、科学技術が日進月歩に進展しており、情報処理装置と通信関連の技術もますます成熟してゆき、且つそれぞれの領域で広範的に応用されている。  
そのため、情報処理装置の機能もますます多元化されてきており、同時に、この情報が氾濫している現代では、それぞれの企業内部でその情報処理装置を強化すると共に、その周辺設備を増加することによって最近の潮流のシステムのニーズに応えるように努力しており、企業の競争力を向上する目的を図っている。
【０００３】
企業がその情報処理装置と周辺設備を向上すると同時に、相対的に、安全性のコントロール管理についても多くの課題を抱えている。
特に、外部とコミュニケーション可能なネットワーク通信システムの場合では、そのシステムの安全性に対する管理がかなり重要であり、最近では、多くの中小企業（ＳＭＥ）または個人ワークショップ（ＳＯＨＯ）は、すべてバーチャル・プライベート・ネットワーク（以下、ＶＰＮと略称する）を利用して相互の情報を伝達するようにしている。
このようにする目的は、情報の通信時の安全性を確保するものであり、ＶＰＮ通信経路を構築するには、多くの内密資料、例えば認証（ＣＡ）や予めシェアし合うキー（Ｐｒｅｓｈａｒｅ  Ｋｅｙ）やメンバーＩＤやパスワードやプライベート・ネットワークなどをまず読み取る必要があるので、如何にして会社の内部資料を盗まれないように保全するか、外部の第３者であるメンバーに知られないように保全するかがかなり重要なこととなっている。
【０００４】
図１は、従来におけるネットワーク・リンキング装置の構成を示すブロック図である。この図１において、ネットワーク・リンキング装置１Ａは主にメモリ装置１１Ａと、トランスミッション装置１２Ａと、中央処理装置１３Ａとを備える。
【０００５】
前記メモリ装置１１Ａはネットワーク・リンキング装置１Ａの関連する基本設定情報を記憶し、且つ会杜の内密情報と内密化用ソフトウェアを記憶するとともに、その内密化用ソフトウェアが会杜の内密情報が盗まれないで、且つ解読されないようにするために設けた大切な手段となっている。また、前記トランスミッション装置１２Ａは、外部リンキング装置１２１Ａと内部リンキング装置１２２Ａとを備えており、それらによって外部ネットワーク１４Ａと内部ネットワーク１５Ａとの間の情報の入出力機能を提供する。また、前記外部リンキング装置１２１Ａにはモデムが使用され、これに前記外部ネットワーク１４Ａが接続される。
また、前記内部リンキング装置１２２Ａにはネットワーク内部連結ポートが使用され、且つその内部リンキング装置１２２Ａにスイッチ・ハブ（Ｓｗｉｔｃｈ  Ｈｕｂ）１６Ａを合せて使用することによって内部リンキング装置１２２Ａに複数個のネットワーク内部連結ポート同士を接続させることができる。また、複数個のユーザー端を接続することによってイントラネット１５Ａを構成でき、さらに、無線インターフェース装置１７Ａと信号トランスミッション装置１８Ａを合せて使用することによってイントラネット１５Ａにおけるユーザー端末と接続するという目的を達成することが出来る。
また、前記中央処理装置１３Ａが前記メモリ装置１１Ａと前記トランスミッション装置１２Ａとが電気的に接続され、且つ情報のメモリ装置１１Ａとトランスミッション装置１２Ａとの間でのオペレーション処理を行うことによって情報のネットワーク間のトランスミッション処理をコントロールする。従来技術のネットワーク・リンキング装置１Ａのオペレーション方式は下記のようになっている。
【０００６】
もしも、ユーザーがメモリ装置１１Ａ内の会社の内密情報を読み取ろうとする場合、または会社の内密情報をメモリ装置１１Ａに記憶しようとする場合、まず、ユーザー端末よりネットワーク・リンキング装置１Ａのトランスミッション装置１２Ａを接続し、それから中央処理装置１３Ａよりメモリ装置１１Ａをアクセスし、もし、そのメモリ装置１１Ａにおいて内密機能を有するソフトウェアがインストールされている場合、そのソフトウェアがパッケージを伝送して、ユーザーに対しパスのための手段を入力するように要求し、例えば、パスワードを入力するよう要求し、これにより、そのソフトウェアに認可されると、ユーザーが自由にそのメモリ装置１１Ａに対し読み取りと記憶のオペレーションを実行できる。
【考案の開示】
【考案が解決しようとする課題】
【０００７】
しかしながら、それぞれのメーカが先にＶＰＮのネットワーク・リンキング装置１Ａの基本設定情報を製品におけるメモリ装置１１Ａ、例えばフラッシュ・ロム（Ｆｌａｓｈ  ＲＯＭ）やコンパクト・フラッシュ（登録商標）・メモリカード（Ｃｏｍｐａｃｔ  Ｆｌａｓｈ  Ｍｅｍｏｒｙ  Ｃａｒｄ，ＣＦ（登録商標）カード）に記憶している上に、多くの会社も内密性が大切である資料情報をメモリ装置１１Ａに記憶するので、メモリ装置１１Ａを読み取るには既に記憶される内密化ソフトウェアによって検証される必要があるため、保護の機能は提供されてはいるが、しかし、情報がフラッシュ・ロムやＣＦ（登録商標）カードや他のメモリ装置に記憶される場合には、他人が容易にＣＤライターやカード・リーダーなどの装置によってそのプライベートの資料情報を入手できると共に、容易にその内密化機能を有するソフトウェアをブロークできるので、従来技術による場合、現在要求される内密化機能は既に明らかに不足になる傾向があり、そのため、それぞれのメーカには、情報の盗難と不法解読をさらに効果的に防止する好ましい手段が要求されている。
【０００８】
本考案は、情報の内密化をさらに強化でき、情報の盗難と不法解読を効果的に防止可能とするネットワーク・リンキング装置を提供することを主要な目的とする。
【課題を解決するための手段】
【０００９】
前記目的を達成するために本考案のネットワーク・リンキング装置は、ネットワーク・リンキング装置を起動するためのユーザー識別カードと、ネットワーク・リンキング装置の関連する基本設定情報を記憶できるメモリ装置と、外部ネットワークと内部ネットワークとの間の情報の入出力機能を提供するトランスミッション装置と、前記ユーザー識別カードと前記メモリ装置と前記トランスミッション装置とが電気的に接続されると共に、ユーザー識別カードとメモリ装置とトランスミッション装置との間での情報のオペレーション処理を行う中央処理装置とを少なくとも備えることを特徴とする。
【００１０】
本考案のネットワーク・リンキング装置においては、ユーザー識別カード自身の有する本来備わっている情報の検証と内密化機能を利用することによって、情報が盗まれたり知られることを防止でき、且つユーザー識別カードに予め主要な設定情報が記憶され、ユーザーが単にユーザー識別カードをネットワークシステム装置に挿入するだけで、気軽にＶＰＮを使用することが可能になり、煩雑な専門的な設定操作の手数をなくすことができる。
【考案を実施するための最良の形態】
【００１１】
以下に、添付図面を参照しながら本考案の好適な実施の形態を詳細的で具体的に説明するが、それらの説明による具体的な構造は単に本考案の実施の可能な実施例に過ぎず、本考案を狭義的に限定するものではないことは言うまでもないことである。
【実施例１】
【００１２】
図２は本考案にかかるネットワーク・リンキング装置における実施例の構成を示すブロック図である。
図２において、ネットワーク・リンキング装置１（例えば、経路形成手段）は、主に、ユーザー識別カード１０と、メモリ装置１１と、トランスミッション装置１２と、中央処理装置１３とを備えて構成される。
前記ユーザー識別カード１０は、ネットワーク・リンキング装置１を起動するための最も大切な手段であり、また、前記メモリ装置１１にはネットワーク・リンキング装置１の関連する基本設定情報が記憶される。
前記トランスミッション装置１２は、外部リンキング装置１２１と内部リンキング装置１２２とを備え、それらによって外部ネットワーク１４、例えばインターネットと、内部ネットワーク１５、例えばローカルネットワーク（ＬＡＮ）または広域ネットワーク（ＷＡＮ）との間の情報の入出力の機能を提供する。
また、前記中央処理装置１３にはユーザー識別カード１０とメモリ装置１１とトランスミッション装置１２とが電気的に接続され、且つ情報のユーザー識別カード１０とメモリ装置１１とトランスミッション装置１２との間でのオペレーション処理を実行する。
【００１３】
あるユーザー端末が外部ネットワーク１４または内部ネットワーク１５を介してトランスミッション装置１２にリンクされる場合、且つネットワークでパスしようとする場合、ユーザー端末がパッケージ資料情報をトランスミッション装置１２を介して中央処理装置１３に伝送し、また、中央処理装置１３よりユーザー識別カード１０に伝送し、このユーザー識別カード１０がそのパッケージ資料情報を受け取る場合、直ちに元の経路に沿って他のパッケージ資料情報を伝送して戻し、身分検証を要求し、身分検証がＯＫである場合に、ユーザー端末がネットワーク間で情報の伝送が可能になり、ネットワーク・リンキング装置１を介して情報を伝送するユーザーのネットワークにリンキングする権利が許可されるかどうかを確認し、これにより、他人の不法侵入を防止する。
【００１４】
また、前記ユーザー識別カード１０は記憶機能を有し、且つ前記ユーザー識別カード１０内にも内密化用のソフトウェアをインストールしており、そのため、会社の内密化情報、例えば、認証や予めシェアされるキーやメンバー・ナンバーやパスワードやプライベート・ネットワークなどをユーザー識別カード１０内に記憶できる。もし、あるユーザー端末がトランスミッション装置１２の外部リンキング装置１２１（例えばモデム）または内部リンキング装置１２２（例えばネットワーク・インナー・接続ポート）を介してユーザー識別カード１０内の機密情報を読み取ろうとする場合、前記ユーザー識別カード１０が他のパッケージ資料情報をフィードバックし、ユーザー端がユーザー識別カード１０内に記憶される機密資料情報を読み取ることが出来るかどうかを確認する。しかるに、誤ったメッセージを入力する回数がユーザー識別カード１０の元の設定値を超える場合、前記ユーザー識別カード１０が保護機能を起動し、いずれのユーザー端末が再度、機密資料情報を読み取ることを阻止し、防衛の機能を図ることができる。
【００１５】
また、ユーザー識別カード１０の内容をコピーできないようにすることによって、情報の盗難と不法解読を防止できる。また、内部リンキング装置１２２がネットワーク内部接続ポートであり、且つその内部リンキング装置１２２にはあるスイッチ・ハブ（Ｓｗｉｔｃｈ  Ｈｕｂ）１６を合せて使用すると、その内部リンキング装置１２２に複数のネットワーク内部接続ポート同士を接続させることができるので、もっと多くのユーザー端末同士を接続でき、ローカルネットワーク（ＬＡＮ）または広域ネットワーク（ＷＮＡ）を構成でき、それらによってネットワーク・リンキング装置１にリンキングできるようになる。また、ネットワーク・リンキング装置１に無線インターフェース装置１７と信号トランスミッション装置１８をあわせて使用すると、内部ネットワーク１５のユーザー端末とリンキング可能になるので、ネットワーク用ワイヤを配設する面倒さをなくすことが出来る。
また、ネットワーク・リンキング装置１のメモリ装置１１に関連する基本設定情報には内密化ソフトウェアを有する場合、ユーザー識別カード１０と相互に合せて二重保護機能を形成でき、その実施例では余分に一つの操作手数を増加しているが、ネットワーク情報の安全性を考慮する上でやはりそれは進歩性を有していると認められている。
【産業上の利用可能性】
【００１６】
本考案の産業上の利用可能性を下記のように帰納する。
(１) 本考案のネットワーク・リンキング装置は、ユーザー識別カードが挿入されない場合に、そのネットワーク・リンキング装置が起動できなくなり、ユーザーがネットワーク域にログインして情報のトランスミッションの操作を実行できなくなってしまい、また、外部（外界）からの不法侵入者もその区域ネットワークに侵入して情報を盗むことが出来なくなってしまい、そのため、その機密性がかなり高度的である。
(２)  ユーザー識別カード自身は検証の機能を有するので、パスワードの入力を要求でき、且つパスワードの入力回数にも制限があり、あまり多く間違ったパスワードを入力する場合、ユーザー識別カードがロックされて使用不能になる。そのため、他人からの不法な盗みを防止でき、その安全性を向上できる。
(３)  ユーザー識別カード自身は内密化機能を有するので、ユーザーがユーザー識別カードに対し内密情報や機密情報などを記憶する場合、まずユーザー識別カードの許可を取得しなければならないので、情報の保護の安全性は更に向上できる。
(４)  ユーザー識別カード内に予めある主要な設定資料情報を記憶でき、ユーザーが単にユーザー識別カードをネットワーク・リンキング装置に挿入するだけで、気軽にＶＰＮを使用できるので、煩雑的で専門的な設定操作をなくすことができる。
【００１７】
上記実施例に記載したネットワーク・リンキング装置は、単に本考案の実施可能な実施例に過ぎず、本考案の権利範囲を狭義的に制限するものではなく、本考案の請求の範囲の要旨に基づいて実施されるすべて変更や利用がすべて本考案の請求範囲内に包含されるべきことは言うまでもない。
【図面の簡単な説明】
【００１８】
【図１】従来におけるネットワーク・リンキング装置の構成を示すブロック図である。
【図２】本考案におけるネットワーク・リンキング装置における実施例の構成を示すブロック図である。
【符号の説明】
【００１９】
１        ネットワーク・リンキング装置
１Ａ      ネットワーク・リンキング装置
１０      ユーザー識別カード
１１      メモリ装置
１１Ａ    メモリ装置
１２      トランスミッション装置
１２Ａ    トランスミッション装置  
１３      中央処理装置
１３Ａ    中央処理装置
１４      外部ネットワーク
１４Ａ    外部ネットワーク
１５      内部ネットワーク（イントラネット）
１５Ａ    内部ネットワーク
１６      スイッチ・ハブ
１６Ａ    スイッチ・ハブ
１７      無線インターフェース装置
１７Ａ    無線インターフェース装置
１８      信号トランスミッション装置
１８Ａ    信号トランスミッション装置  
１２１    外部リンキング装置
１２１Ａ  外部リンキング装置
１２２    内部リンキング装置
１２２Ａ  内部リンキング装置